(57)【要約】【課題】  原稿読取のための原稿搬送経路と、記録のための記録紙搬送経路を一部共用するような構成の画像処理装置の場合、インクで共通の紙搬送経路を汚してしまうと利用者の大切な原稿を汚してしまう。【解決手段】  記録紙がない時にインクを吐出しても紙搬送経路が汚れない位置関係にあるカラー用ノズルと、記録紙がない時にインクを吐出すると紙搬送経路を汚してしまう位置関係にある黒用ノズルを備え、共通紙搬送経路を搬送される記録紙に画像を記録するインク吐出型の記録手段であり、前記共通紙搬送経路を搬送される原稿を読み取る読取手段と、ユーザが操作して記録紙サイズや記録方法を指定できる操作手段を含み、前記記録手段は、記録可能な最大の記録紙サイズが選択されなかった時は、前記操作手段の操作で黒用ノズルを使用する記録方法を指定できないようにする。【選択図】  図５
2007013778.tif 000002
【特許請求の範囲】
【請求項１】
複数のサイズの記録紙に記録可能で記録紙通過経路を搬送される記録紙に画像を記録するインク吐出型の記録手段と、前記記録紙通過経路と一部において経路を共通にする原稿通過経路を搬送される原稿を読み取る読取手段と、ユーザが操作して記録紙サイズ、記録方法を指定できる操作手段を含み、
前記記録手段は、記録紙がない時にインクを吐出しても紙搬送経路が汚れない位置関係にあるカラー用ノズルのみを使用し黒色を記録する場合には複数のカラーインクを同じ位置に吐出することで黒色を記録する第１の記録方法と、前記第１の記録方法で使用するカラー用ノズルに加えて、記録紙がない時にインクを吐出すると紙搬送経路を汚してしまう位置関係にある黒用ノズルも使用して記録する第２の記録方法を持ち、
記録可能な記録紙サイズのうち最大の記録紙サイズが前記操作手段の操作によって選択されなかった時は、前記操作手段の操作で前記第２の記録方法を指定できないようにすることを特徴とする画像処理装置。
【請求項２】
複数のサイズの記録紙に記録可能で記録紙通過経路を搬送される記録紙に画像を記録するインク吐出型の記録手段と、前記記録紙通過経路と一部において経路を共通にする原稿通過経路を搬送される原稿を読み取る読取手段と、前記記録手段の記録紙給紙部に取り付けた記録紙サイズセンサーと、ユーザに通知すべき情報を通知する通知手段を含み、
前記記録手段は、記録紙がない時にインクを吐出しても紙搬送経路が汚れない位置関係にあるカラー用ノズルのみを使用し黒色を記録する場合には複数のカラーインクを同じ位置に吐出することで黒色を記録する第１の記録方法と、前記第１の記録方法で使用するカラー用ノズルに加えて、記録紙がない時にインクを吐出すると紙搬送経路を汚してしまう位置関係にある黒用ノズルも使用して記録する第２の記録方法を持ち、
前記第２の記録方法で記録を開始する時に前記記録紙サイズセンサーを参照し、その結果記録可能な記録紙サイズのうち最大の記録紙サイズでなかった場合に、記録処理を中断し前記通知手段によってユーザに中断を通知することを特徴とする画像処理装置。
【請求項３】
複数のサイズの記録紙に記録可能で記録紙通過経路を搬送される記録紙に画像を記録するインク吐出型の記録手段と、前記記録紙通過経路と一部において経路を共通にする原稿通過経路を搬送される原稿を読み取る読取手段と、前記記録手段の記録紙給紙部に取り付けた記録紙サイズセンサーを含み、
前記記録手段は、記録紙がない時にインクを吐出しても紙搬送経路が汚れない位置関係にあるカラー用ノズルのみを使用し黒色を記録する場合には複数のカラーインクを同じ位置に吐出することで黒色を記録する第１の記録方法と、前記第１の記録方法で使用するカラー用ノズルに加えて、記録紙がない時にインクを吐出すると紙搬送経路を汚してしまう位置関係にある黒用ノズルも使用して記録する第２の記録方法を持ち、
前記第２の記録方法で記録を開始する時に前記記録紙サイズセンサーを参照し、その結果記録可能な記録紙サイズのうち最大の記録紙サイズでなかった場合に、前記第２の記録方法の代わりに前記第１の記録方法で記録することを特徴とする画像処理装置。
【請求項４】
複数のサイズの記録紙に記録可能で記録紙通過経路を搬送される記録紙に画像を記録するインク吐出型の記録手段と、前記記録紙通過経路と一部において経路を共通にする原稿通過経路を搬送される原稿を読み取る読取手段と、前記記録手段の記録紙給紙部に取り付けた記録紙サイズセンサーを含み、
前記記録手段は、記録紙がない時にインクを吐出しても紙搬送経路が汚れない位置関係にあるカラー用ノズルのみを使用し黒色を記録する場合には複数のカラーインクを同じ位置に吐出することで黒色を記録する第１の記録方法と、前記第１の記録方法で使用するカラー用ノズルに加えて、一部のノズルは記録紙がない時にインクを吐出すると紙搬送経路を汚してしまう位置関係にあり、残りのノズルは記録紙がない時にインクを吐出しても紙搬送経路を汚さない位置にある黒用ノズルを使用して記録する第２の記録方法と、前記第１の記録方法で使用するカラー用ノズルに加えて、前記第２の記録方法で使用する黒ノズルのうち、記録紙がない時にインクを吐出すると紙搬送経路を汚してしまう位置関係にあるノズルは使用せず、記録紙がない時にインクを吐出しても紙搬送経路を汚さない位置にある残りの黒用ノズルを使用して記録する第３の記録方法を持ち、
前記第２の記録方法で記録を開始する時に前記記録紙サイズセンサーを参照し、その結果記録紙が記録可能な記録紙サイズのうち最大の記録紙サイズでなかった場合に、前記第２の記録方法の代わりに前記第３の記録方法で記録することを特徴とする画像処理装置。
【発明の詳細な説明】
【技術分野】
【０００１】
記録紙がない時にインクを吐出しても紙搬送経路を汚さない第１の記録方法と、記録紙がない時にインクを吐出すると紙搬送経路を汚してしまう第２の記録方法を持つ画像処理装置であって、特に記録紙搬送経路と、原稿搬送経路が一部において経路を共通にする画像処理装置に関する。
【背景技術】
【０００２】
インク吐出型の記録装置においては、記録紙がない時にインクを吐出すると紙搬送経路を汚してしまう印刷モードと、汚さない印刷モードを使い分けるものがある。このような装置においては、フチなし印刷をする場合には記録紙がない部分にもインクを吐出するため、汚さない印刷モードで印刷するように制御される。
【０００３】
また一方で、装置の小型化、コストダウンのため、原稿読取のための原稿搬送経路と、記録のための記録紙搬送経路を一部共用する構成をとる画像処理装置がある。（たとえば、特許文献１参照）。特許文献１においては、原稿搬送経路と記録紙搬送経路を共用することで、モーターの数を抑え、筐体の小型化を実現している。
【特許文献１】特開２００４−１８０１４３
【発明の開示】
【発明が解決しようとする課題】
【０００４】
しかしながら、従来の構成の前者と後者の両方の特徴を組み合わせた装置の場合、つまり、記録紙がない時にインクを吐出すると紙搬送経路を汚してしまう印刷モードと、汚さない印刷モードを使い分け、さらに原稿読取のための原稿搬送経路と、記録のための記録紙搬送経路を一部共用するような構成の画像処理装置の場合、インクで共通の紙搬送経路を汚してしまうと利用者の大切な原稿を汚してしまうことにつながってしまう。
【０００５】
記録紙の場合はもう一度記録すれば復元できるが、原稿は汚れてしまうと取り返しがつかないという問題があった。
【課題を解決するための手段】
【０００６】
本発明においては、複数のサイズの記録紙に記録可能で記録紙通過経路を搬送される記録紙に画像を記録するインク吐出型の記録手段と、前記記録紙通過経路と一部において経路を共通にする原稿通過経路を搬送される原稿を読み取る読取手段と、前記記録手段の記録紙給紙部に取り付けた記録紙サイズセンサーと、ユーザが操作して記録紙サイズ、記録方法を指定できる操作手段を含み、
前記記録手段は、記録紙がない時にインクを吐出しても紙搬送経路が汚れない位置関係にあるカラー用ノズルのみを使用し黒色を記録する場合には複数のカラーインクを同じ位置に吐出することで黒色を記録する第１の記録方法と、前記第１の記録方法で使用するカラー用ノズルに加えて、一部のノズルは記録紙がない時にインクを吐出すると紙搬送経路を汚してしまう位置関係にあり、残りのノズルは記録紙がない時にインクを吐出しても紙搬送経路を汚さない位置にある黒用ノズルを使用して記録する第２の記録方法と、前記第１の記録方法で使用するカラー用ノズルに加えて、前記第２の記録方法で使用する黒ノズルのうち、記録紙がない時にインクを吐出すると紙搬送経路を汚してしまう位置関係にあるノズルは使用せず、記録紙がない時にインクを吐出しても紙搬送経路を汚さない位置にある残りの黒用ノズルを使用して記録する第３の記録方法を持ち、
記録可能なサイズの最大の紙サイズが前記操作手段の操作によって選択されなかった時は前記操作手段の操作で前記第２の記録方法を指定できないようにし、前記第２の記録方法で記録を開始する時に前記記録紙サイズセンサーを参照し、その結果記録紙が記録可能な記録紙サイズのうち最大の記録紙サイズでなかった場合に、記録処理を中断し前記通知手段によってユーザへ中断を通知、または前記第２の記録方法の代わりに前記第１の記録方法で記録、または前記第２の記録方法の代わりに前記第３の記録方法で記録する。
【発明の効果】
【０００７】
以上説明したように本発明によれば、複数のサイズの記録紙に記録可能で記録紙通過経路を搬送される記録紙に画像を記録するインク吐出型の記録手段と、前記記録紙通過経路と一部において経路を共通にする原稿通過経路を搬送される原稿を読み取る読取手段と、前記記録手段の記録紙給紙部に取り付けた記録紙サイズセンサーと、ユーザが操作して記録紙サイズ、記録方法を指定できる操作手段を含み、
前記記録手段は、記録紙がない時にインクを吐出しても紙搬送経路が汚れない位置関係にあるカラー用ノズルのみを使用し黒色を記録する場合には複数のカラーインクを同じ位置に吐出することで黒色を記録する第１の記録方法と、前記第１の記録方法で使用するカラー用ノズルに加えて、一部のノズルは記録紙がない時にインクを吐出すると紙搬送経路を汚してしまう位置関係にあり、残りのノズルは記録紙がない時にインクを吐出しても紙搬送経路を汚さない位置にある黒用ノズルを使用して記録する第２の記録方法と、前記第１の記録方法で使用するカラー用ノズルに加えて、前記第２の記録方法で使用する黒ノズルのうち、記録紙がない時にインクを吐出すると紙搬送経路を汚してしまう位置関係にあるノズルは使用せず、記録紙がない時にインクを吐出しても紙搬送経路を汚さない位置にある残りの黒用ノズルを使用して記録する第３の記録方法を持ち、
記録可能なサイズの最大の紙サイズが前記操作手段の操作によって選択されなかった時は前記操作手段の操作で前記第２の記録方法を指定できないようにし、前記第２の記録方法で記録を開始する時に前記記録紙サイズセンサーを参照し、その結果記録紙が記録可能な記録紙サイズのうち最大の記録紙サイズでなかった場合に、記録処理を中断し前記通知手段によってユーザへ中断を通知、または前記第２の記録方法の代わりに前記第１の記録方法で記録、または前記第２の記録方法の代わりに前記第３の記録方法で記録することにより、
ユーザの誤操作により紙搬送経路をインクで汚してしまうことを防ぐことができる。
【発明を実施するための最良の形態】
【０００８】
（実施例）
図１は本発明の一実施例である画像処理装置の紙搬送経路を示す断面図である。
【０００９】
図１において、１０１は画像処理装置本体であり、原稿を読み取って電子データ化したり、電子データを記録紙に記録することができる。またこれらの機能を組み合わせたコピー機能の実現や、外部の情報処理装置と通信して電子データの授受をすることも可能であるが、本発明の説明には不要であるためここでは説明しない。
【００１０】
１０２は画像読取部であり、原稿を読取って電子データに変換する。
【００１１】
１０３は記録部であり、インクを吐出し、記録紙に電子データを記録する。
【００１２】
１０４は操作部であり、ユーザが操作し、その操作内容を画像処理装置に取り込む。
【００１３】
１０５は表示部であり、ユーザの操作に必要な情報や、ユーザに通知したい情報を表示する。
【００１４】
１０６は原稿搬送経路入口、１０７は記録紙搬送経路入口、１０８は共通搬送経路、１０９は搬送経路出口であり、原稿搬送経路入口１０６にセットされた原稿および記録紙搬送経路入口１０７にセットされた記録紙は共通搬送経路１０８を通って搬送経路出口１０９へ抜けるように搬送される。搬送される途中で、原稿は画像読取部で読み取られ、記録紙は記録部によって記録される。
【００１５】
図２は、本発明の一実施例である画像処理装置の記録部１０３を示す図であり、装置を上から見たものである。
【００１６】
２０１は記録ヘッドであり、インクのタンクやインクを吐出するノズルを持っている。
【００１７】
２０２はカラーノズルであり、カラーの各色のインクを吐出する。紙がない時に吐出してもインク吸収部２０４に吸収され紙搬送経路を汚さない。
【００１８】
２０３は黒ノズルであり、黒色インクを吐出する。記録紙がない時に吐出すると紙搬送経路を汚してしまう部分（黒ノズルＡ：２０６）と紙搬送経路を汚さない部分（黒ノズルＢ：２０７）から成る。
【００１９】
２０４はインク吸収部であり、ここにインクを吐出してインクが吸収されても、記録紙や原稿はインク吸収部の上部を搬送されていくため記録紙、原稿は汚れることはない。
【００２０】
２０５は共通紙搬送経路であり、記録紙、原稿共にここを搬送されていく。誤って記録紙がない時にこの部分にインクが吐出されると共通紙搬送経路が汚れてしまい、次にここを搬送されていく原稿や記録紙がインクで汚れてしまう。
【００２１】
ここで本発明の一実施例である画像処理装置の記録方法について説明する。
【００２２】
第１の記録方法はカラーノズル２０２のみを使用する記録方法であり、黒色を記録する場合には、同じ位置にカラーインクの各色を吐出して黒色を記録する。この記録方法では、紙がなくてもインク吸収部２０４にインクが吸収されるので、フチなし記録する場合はこの記録方法で記録する。また、誤って設定された紙サイズよりも小さな記録紙がセットされても、共通紙搬送経路をインクで汚すことはない。
【００２３】
第２の記録方法は、カラーノズル２０２と黒ノズル２０３も使用する記録方法であり、黒色を記録する時には黒ノズル２０３のうちの黒ノズルＡ２０６部分と黒ノズルＢ２０７を使用して記録する記録方法である。ただしモノクロのデータを記録する場合にはカラーノズルは使用しない。この記録方法では、フチなし記録や、誤って設定された記録紙サイズよりも小さい紙をセットされると共通髪搬送経路にインクを吐出してしまい、インクで汚れてしまう。
【００２４】
第３の記録方法は、カラーノズル２０２と、黒ノズル２０３の内の記録紙がない時に吐出して紙搬送経路を汚さない部分である黒ノズルＢ２０７だけを使用する記録方法であり、黒色を記録する場合には黒ノズルＢ２０７を使用する。ただしモノクロのデータを記録する場合にはカラーノズルは使用しない。この記録方法では、紙がなくてもインク吸収部２０４にインクが吸収されるので、誤って設定された紙サイズよりも小さな記録紙がセットされても、共通紙搬送経路をインクで汚すことはない。第２の記録方法と比較すると黒ノズルを全部使用できないため、記録速度が落ちたり、記録品位が低下することがある。
【００２５】
図３は、本発明の一実施例である画像処理装置の操作部１０４と表示部１０５の１表示例であり、記録の設定操作をする時の表示である。
【００２６】
３０１は表示部であり、ユーザに通知する情報を表示する。図３は記録の設定操作中の表示であるため、各種設定項目の表示がされている。
【００２７】
３０２は操作部であり、項目の移動や選択肢の変更に用いる方向キーと決定、選択をするためのセットキーがある。
【００２８】
３０３は表示部３０１に表示された紙サイズ選択欄である。ユーザは最初に紙サイズを選択する。
【００２９】
３０４は表示部３０１に表示された紙種選択欄である。ユーザはここで普通紙やフォト紙などの選択肢の中から所望の紙種を選ぶ。ここで選択する紙種によってどのノズルで記録するかという記録方法が決定する。本実施例では普通紙設定の時にはカラーノズルと黒ノズルの両方を使用し、フォト紙の時にはカラーノズルのみで記録するものとする。紙サイズ選択欄３０３で最大の紙サイズを選んだ場合には紙種を選択する時には普通紙設定を選択できない。
【００３０】
３０５は表示部３０１に表示された部数選択欄であり、記録する部数を選択する。
【００３１】
図４は本発明の一実施例である画像処理装置の記録紙搬送経路入口を示した図である。
【００３２】
ここで４０１は画像処理装置本体である。
【００３３】
４０２は記録紙トレイであり、ここに記録紙がセットされる。
【００３４】
４０３は記録紙幅スライダであり、記録紙のサイズにあわせて左右にスライドし、これに沿わせて記録紙を右寄せにセットする。
【００３５】
４０４は記録紙幅センサーである。このセンサーで記録紙幅スライダの位置を検出し、紙サイズを検出する。この検出結果は記録方法の切り替えや、記録中断に用いる。
【００３６】
図５は、本発明の一実施例である画像処理装置の記録処理を示す流れ図である。
【００３７】
図５において、５０１では記録指示処理により、ユーザが操作部３０２を操作して記録に関する設定項目を入力し、５０２へ進む。この記録指示処理の詳細はステップ５０６以降に示す。
【００３８】
５０６では記録紙サイズを入力する。ユーザは操作部３０２を操作し、紙サイズ選択欄３０３で紙サイズを選択、決定し、５０７へ進む。
【００３９】
５０７では、５０６で選択した紙サイズが最大のサイズかどうかを判断する。最大のサイズであった場合は５０８へ進み、それ以外は５１１へ進む。
【００４０】
５０８では記録紙の紙種を入力する。ユーザは操作部３０２を操作し、紙種選択欄３０４で紙種を選択、決定し、５０９へ進む。５０８では全ての紙種について選択可能とする。
【００４１】
５０９では、記録方法を装置内部で選択する。ここで、本実施例の画像処理装置の場合は紙種が選択されるとその紙種に合った記録方法が装置内部で自動的に選択される。本実施例では紙種が普通紙の場合にのみ第２の記録方法を選択し、その他の紙種の場合には第１の記録方法が選択されるものとする。５０８で入力された紙種が普通紙であった場合には５１０へ進み、その他の場合には５１２へ進む。
【００４２】
５１０では、第２の記録方法を選択し５１３へ進む。
【００４３】
５１２では、第１の記録方法を選択肢５１３へ進む。
一方５０７で最大の紙サイズでないと判断され５１１へ進む。
【００４４】
５１１では、紙種を入力するが、普通紙を除く紙種を選択可能である。そのためここで紙種を入力すると５１２へ進み、第１の記録方法を選択する。このようにして、ユーザの操作メニューを制限することで、最大の紙サイズでなかったら第１の記録方法でしか記録しないようにして、紙搬送経路をインクで汚さないようにしている。
【００４５】
５１３では、記録部数を入力する。操作部３０２を操作し、部数選択欄３０５で部数を選択、決定し、記録指示処理を終了し、５０２へ進む。
【００４６】
５０２では、５０１で選択した記録方法が第２の記録方法であるかどうかを判定する。第２の記録方法である場合には５０３へ進み、第２の記録方法でなかった場合には５０５へ進む。
【００４７】
５０３では、記録紙幅センサー４０４を参照し、最大の紙サイズであるかどうかを判定する。最大サイズであれば５０４へ進み、最大サイズでなければ５０５へ進む。
【００４８】
５０４では第２の記録方法で記録し、記録が終われば記録処理を終了する。
【００４９】
５０５では第１の記録方法で記録し、記録が終われば記録処理を終了する。
【００５０】
上記処理により本実施例の画像処理装置では、ユーザが入力した紙サイズが最大の紙サイズでなければ第２の記録方法で記録する紙種を選択させず、さらにユーザが最大の紙サイズを入力したにもかかわらず実際には最大のサイズの紙をセットしていない場合には、第２の記録方法が選択されていても第１の記録方法で記録することにより、紙搬送経路をインクで汚すことを防ぐことができる。
【００５１】
図６は本発明のもう１つの実施例である画像処理装置の記録処理を示す流れ図である。
【００５２】
本実施例は図６で説明する内容以外については図１から図５で説明した実施例と同じである。
【００５３】
６０１では記録指示処理により、ユーザが操作部３０２を操作して記録に関する設定項目を入力し、６０２へ進む。この記録指示処理は図５の記録指示処理と同じであり、ここでは説明を省略する。
【００５４】
６０２では、６０１で選択した記録方法が第２の記録方法であるかどうかを判定する。第２の記録方法である場合には６０３へ進み、第２の記録方法でなかった場合には６０６へ進む。
【００５５】
６０３では、記録紙幅センサー４０４を参照し、最大の紙サイズであるかどうかを判定する。最大サイズであれば６０４へ進み、最大サイズでなければ６０５へ進む。
【００５６】
６０４では第２の記録方法で記録し、記録が終われば記録処理を終了する。
【００５７】
６０５では第３の記録方法で記録し、記録が終われば記録処理を終了する。
【００５８】
６０６では第１の記録方法で記録し、記録が終われば記録処理を終了する。
【００５９】
上記処理により本実施例の画像処理装置では、ユーザが入力した紙サイズが最大の紙サイズでなければ第２の記録方法で記録する紙種を選択させず、さらにユーザが最大の紙サイズを入力したにもかかわらず実際には最大のサイズの紙をセットしていない場合には、第２の記録方法が選択されていても第３の記録方法で記録することにより、紙搬送経路をインクで汚すことを防ぐことができる。
【図面の簡単な説明】
【００６０】
【図１】画像処理装置の紙搬送経路を示す断面図
【図２】記録部を上から見た図
【図３】操作部と表示部の１表示例
【図４】記録紙搬送経路入口を示す図
【図５】記録処理を示す流れ図
【図６】別の実施例における記録処理を示す流れ図
【符号の説明】
【００６１】
１０１  画像処理装置
１０２  画像読取部
１０３  記録部
１０４  操作部
１０５  表示部
１０６  原稿搬送経路入口
１０７  記録紙搬送経路入口
１０８  共通搬送経路
１０９  搬送経路出口
２０１  記録ヘッド
２０２  カラーノズル
２０３  黒ノズル
２０４  インク吸収部
２０５  共通紙搬送経路
２０６  黒ノズルＡ
２０７  黒ノズルＢ
３０１  表示部
３０２  操作部
３０３  紙サイズ選択欄
３０４  紙種選択欄
３０５  部数選択欄
４０１  画像処理装置
４０２  記録紙トレイ
４０３  記録紙幅スライダ
４０４  記録紙幅センサー
【図１】
2007013778.tif 000003
【図２】
2007013778.tif 000004
【図３】
2007013778.tif 000005
【図４】
2007013778.tif 000006
【図５】
2007013778.tif 000007
【図６】
2007013778.tif 000008